(57)【要約】【課題】  アナログ入力端子ではない一般の入／出力端子を介して主モジュールと装着することが可能な，主モジュール上で安定して動作するオプションモジュール，電子機器，および電子機器の付加的機能を遂行する方法を提供する。【解決手段】  主モジュールに接続され，該主モジュールに付加機能を提供するオプションモジュール５０であって，特定の周波数を有するクロック信号を生成するクロック生成部１０と，上記クロック生成部で生成されたクロック信号を，上記クロック生成部から上記主モジュールに中継するインターフェース部２０と，を備え，上記主モジュールは，上記クロック信号によって上記オプションモジュールを識別することを特徴とする，オプションモジュールが提供される。【選択図】    図３
2005235189.tif 000002
【特許請求の範囲】
【請求項１】
主モジュールに接続され，該主モジュールに付加機能を提供するオプションモジュールであって：
特定の周波数を有するクロック信号を生成するクロック生成部と；
前記クロック生成部で生成されたクロック信号を，前記クロック生成部から前記主モジュールに中継するインターフェース部と；
を備え，
前記主モジュールは，前記クロック信号によって前記オプションモジュールを識別することを特徴とする，オプションモジュール。
【請求項２】
前記インターフェース部から出力された前記特定の周波数を有するクロック信号を安定化して前記主モジュールに出力し，かつ，前記オプションモジュールの各回路素子を保護する回路保護部をさらに含むことを特徴とする，請求項１に記載のオプションモジュール。
【請求項３】
前記回路保護部は，
前記クロック生成部と前記インターフェース部を保護するバッファと；
前記クロック信号を安定化するフィルタと；
を含むことを特徴とする，請求項２に記載のオプションモジュール。
【請求項４】
前記フィルタは，キャパシタと抵抗からなるＲＣフィルタであることを特徴とする，請求項３に記載のオプションモジュール。
【請求項５】
前記保護回路部は，オプションモジュールの回路素子を電気的衝撃から保護することを特徴とする，請求項２に記載のオプションモジュール。
【請求項６】
前記主モジュールは，複写機，プリンタ，複合機，およびファクシミリのいずれかであることを特徴とする，請求項１〜５のいずれかに記載のオプションモジュール。
【請求項７】
前記オプションモジュールは，電子メールを送信する機能，または，電話番号もしくはファックス番号を選択するためのワンタッチダイヤルキーとしての機能のいずれかを含むことを特徴とする，請求項１〜６のいずれかに記載のオプションモジュール。
【請求項８】
前記インターフェース部を介して前記クロック生成部に給電する給電部をさらに含むことを特徴とする，請求項１〜７のいずれかに記載のオプションモジュール。
【請求項９】
前記インターフェース部は，インターフェースチップであることを特徴とする，請求項１〜８のいずれかに記載のオプションモジュール。
【請求項１０】
主機能を遂行する第１のモジュールと；
前記第１のモジュールに接続され，付加機能を遂行する，取り外し自在の第２のモジュールと；
を含み，
前記第１のモジュールは，前記第２のモジュールで発生するクロック信号に基づいて，前記第２のモジュールであることを認識し，前記第２のモジュールの付加機能が遂行できるように制御することを特徴とする，電子機器。
【請求項１１】
前記第１のモジュールは，前記第２のモジュールで発生するクロック周波数を検知することを特徴とする，請求項１０に記載の電子機器。
【請求項１２】
前記第１のモジュールと前記第２のモジュールとを接続するためのコネクタをさらに含むことを特徴とする，請求項１０または１１のいずれかに記載の電子機器。
【請求項１３】
前記第１のモジュールは，複写機，プリンタ，複合機，およびファクシミリのいずれかであることを特徴とする，請求項１０〜１２のいずれかに記載の電子機器。
【請求項１４】
前記第２のモジュールは，第２のモジュールを代替する他のモジュールで生成される，前記第２のモジュールで生成されたクロック信号と相違するクロック信号により，前記他のモジュールと区別されることを特徴とする，請求項１０〜１３のいずれかに記載の電子機器。
【請求項１５】
前記第２のモジュールは，前記他のモジュールから提供される機能とは異なる付加的機能を第１のモジュールに提供することを特徴とする，請求項１４に記載の電子機器。
【請求項１６】
第２のモジュールおよび／または他のモジュールから送信されるクロック信号に対応する認識データと；
前記認識データにより第２のモジュールと他のモジュールとを区別し，前記第２のモジュールや前記他のモジュールと該電子機器とが互換性をもつように実行されるアプリケーションプログラムと；
をさらに有していることを特徴とする，請求項１５に記載の電子機器。
【請求項１７】
前記第２のモジュールのためのアプリケーションプログラムは，他のモジュールのためのアプリケーションプログラムとは異なることを特徴とする，請求項１６に記載の電子機器。
【請求項１８】
第１のモジュールに接続され，電子機器の付加的機能を遂行し，取り外し自在の第２のモジュールを支援する電子機器であって：
前記電子機器の主機能を遂行する第１のモジュールを含み，
前記第１のモジュールは，装着された第２のモジュールで発生するクロック信号に基づいて第２のモジュールが付加的機能を遂行できるように制御し，前記第２のモジュールは，クロック信号により他の第２のモジュールと区別されることを特徴とする，電子機器。
【請求項１９】
第１のモジュールに接続され，電子機器の付加的機能を遂行し，第２のモジュールを支援する電子機器の付加的機能を遂行する方法であって：
電子機器の主機能を遂行するステップと；
装着された第２のモジュールと装着された他の第２のモジュールとを区分するのに用いられる，前記装着された第２のモジュールで発生するクロック信号に基づいて，第２のモジュールが付加的機能を遂行できるように制御するステップと；
を含むことを特徴とする，電子機器の付加的機能を遂行する方法。
【請求項２０】
第１のモジュールに接続され，電子機器の付加的機能を遂行し，第２のモジュールを支援する電子機器の付加的機能を遂行する方法であって：
前記第１のモジュールに供給され，第２のモジュールと他の第２のモジュールとを区別するのに用いられ，電子機器への前記第２のモジュールの付加的機能を遂行するクロック信号を第２のモジュールで生成するステップを含むことを特徴とする，電子機器の付加的機能を遂行する方法。
【請求項２１】
電子機器に装着された第２のモジュールの内部の回路を電気的衝撃から保護するステップをさらに含むことを特徴とする，請求項２０に記載の電子機器の付加的機能を遂行する方法。
【発明の詳細な説明】
【技術分野】
【０００１】
本発明は，クロック周波数を用いたオプションモジュール電子機器，および電子機器の付加的機能を遂行する方法に関する。
【背景技術】
【０００２】
一般に，複合機は，ＭＦＰ（Ｍｕｌｔｉ  Ｆｕｎｃｔｉｏｎ  Ｐｅｒｉｐｈｅｒａｌ）と呼ばれており，既存の事務用機器，即ち，ファクシミリ，スキャナー，プリンタおよび複写機等の各々単体で存在していた端末を，一つの機器として統合してなる多機能端末であり，独立して使用したり，コンピュータに接続されて使用されたりする。以下，複写機を例に挙げて説明する。
【０００３】
図１は，従来のデジタル複写機の機能ブロック図である。図１を参照すると，従来のデジタル複写機は，原稿のイメージをスキャニングするためのスキャニング部１と，記録紙を収納するためのカートリッジ２と，原稿のイメージを記録紙上に出力するための出力部３と，複写機の動作を制御するための操作パネル８とから構成される。
【０００４】
上記操作パネル８は，ユーザーの指令を入力するためのキー入力部４と，記録紙のイメージを表示し，その記録紙イメージ上へのプリントプレビューを表示する表示部６，および各種の制御動作を行うための制御部５とを含む。
【０００５】
このように，従来のデジタル複写機の操作パネル８には，各種の付加機能をもつオプションモジュールを装着することができ，ユーザーの便宜を図ることができた。ここで，デジタル複写機に装着されたオプションモジュールがその機能を遂行するために，デジタル複写機は，装着されたオプションモジュールを感知しなければならない。
【０００６】
図２Ａおよび図２Ｂは，従来のオプションモジュールの認識方法を説明するための説明図である。
【０００７】
図２Ａは，従来のオプションモジュールにおける第１の実施形態を示す図である。図２Ａを参照すると，オプションモジュールは，その内部に第１および第２の抵抗Ｒ１，Ｒ２とスイッチングトランジスタＱ１とを含んでいる。この種のオプションモジュールは，デジタル複写機に装着され，電源がオンすると，第２の抵抗と，スイッチングトランジスタＱ１のコレクタ端子との接続点Ｍの電圧レベルによってオプションモジュールの接続有無を判断する。しかし，上記の方式では，オプションモジュールの接続有無を判断することはできるが，オプションモジュールの種類は認識できないという問題点がある。
【０００８】
図２Ｂは，従来のオプションモジュールにおける第２の実施形態を示す図である。図２Ｂを参照すると，オプションモジュールは，その内部に分圧抵抗Ｒ４を含んでいる。分圧抵抗Ｒ４は，主モジュール（デジタル複写機，複合機等）に配置された第３の抵抗Ｒ３と電圧を分配し，所定の電圧を主モジュールに送る。主モジュールは，アナログ入力端子を介して所定の電圧を受信した後，その内部におけるＡ／Ｄ変換により装着されたオプションモジュールの種類を認識する。しかし，このような方式では，アナログ入力端子を必ず設けなくてはならないという不都合が生じる。
【０００９】
また，上記のような従来のオプションモジュールは，主モジュールに装着される場合，安定した動作の保障が困難であり，この結果，オプションモジュールと主モジュールとの完全な互換性の提供が困難となる。
【発明の開示】
【発明が解決しようとする課題】
【００１０】
本発明は，従来のオプションモジュールの認識方法が有する上記問題点に鑑みてなされたものであり，本発明の目的は，アナログ入力端子ではない一般の入／出力端子を介して主モジュールと装着可能であり，かつ，主モジュール上で安定して動作することが可能な，新規かつ改良されたオプションモジュール，電子機器，および電子機器の付加的機能を遂行する方法を提供することである。
【００１１】
また，本発明の他の目的は，オプションモジュールの装着有無およびオプションモジュールの種類を安定かつ確実に認識し，主モジュールとオプションモジュールとの完全な互換性を提供できるクロック周波数を提供することにある。
【課題を解決するための手段】
【００１２】
上記課題を解決するために，本発明のある観点によれば，主モジュールに接続され，該主モジュールに付加機能を提供するオプションモジュールであって：特定の周波数を有するクロック信号を生成するクロック生成部と；上記クロック生成部で生成されたクロック信号を，上記クロック生成部から上記主モジュールに中継するインターフェース部と；を備え，上記主モジュールは，上記クロック信号によって上記オプションモジュールを識別することを特徴とする，オプションモジュールが提供される。
【００１３】
上記インターフェース部は，上記クロック生成部をインターフェースし，上記オプションモジュールと上記主モジュールを規定するために上記クロック生成部で生成された特定の周波数クロック信号を上記主モジュールに出力するとしても良い。
【００１４】
上記インターフェース部から出力された上記特定の周波数を有するクロック信号を安定化して上記主モジュールに出力し，かつ，上記オプションモジュールの各回路素子を保護する回路保護部をさらに含むとしても良い。
【００１５】
上記回路保護部は，
上記クロック生成部と上記インターフェース部を保護するバッファと；上記クロック信号を安定化するフィルタと；を含むとしても良い。
【００１６】
上記フィルタは，キャパシタと抵抗からなるＲＣフィルタであるとしても良い。
【００１７】
上記保護回路部は，オプションモジュールの回路素子をサージ等の電気的衝撃から保護するとしても良い。
【００１８】
上記主モジュールは，複写機，プリンタ，複合機，およびファクシミリのいずれかであるとしても良い。
【００１９】
上記オプションモジュールは，電子メールを送信する機能，または，電話番号もしくはファックス番号を選択するためのワンタッチダイヤルキーとしての機能のいずれかを含むとしても良い。
【００２０】
上記インターフェース部を介して上記クロック生成部に給電する給電部をさらに含むとしても良い。
【００２１】
上記インターフェース部は，インターフェースチップであるとしても良い。
【００２２】
上記課題を解決するために，本発明の他の観点によれば，主機能を遂行する第１のモジュールと；上記第１のモジュールに接続され，付加機能を遂行する，取り外し自在の第２のモジュールと；を含み，上記第１のモジュールは，上記第２のモジュールで発生するクロック信号に基づいて，上記第２のモジュールであることを認識し，上記第２のモジュールの付加機能が遂行できるように制御することを特徴とする，電子機器が提供される。ここで，第１のモジュールを主モジュール，上記第２のモジュールをオプションモジュールとしても良い。
【００２３】
上記第１のモジュールは，上記第２のモジュールで発生するクロック周波数を検知するとしても良い。
【００２４】
上記第１のモジュールと上記第２のモジュールとを接続するためのコネクタをさらに含むとしても良い。
【００２５】
上記第１のモジュールは，複写機，プリンタ，複合機，およびファクシミリのいずれかであるとしても良い。
【００２６】
上記第２のモジュールは，第２のモジュールを代替する他のモジュールで生成される，上記第２のモジュールで生成されたクロック信号と相違するクロック信号により，上記他のモジュールと区別されるとしても良い。
【００２７】
上記第２のモジュールは，上記他のモジュールから提供される機能とは異なる付加的機能を第１のモジュールに提供することができる。
【００２８】
第２のモジュールおよび／または他のモジュールから送信されるクロック信号に対応する認識データと；上記認識データにより第２のモジュールと他のモジュールとを区別し，上記第２のモジュールや上記他のモジュールと該電子機器とが互換性をもつように実行されるアプリケーションプログラムと；をさらに有しているとしても良い。
【００２９】
上記第２のモジュールのためのアプリケーションプログラムは，他のモジュールのためのアプリケーションプログラムとは異なるとしても良い。
【００３０】
上記課題を解決するために，本発明の他の観点によれば，第１のモジュールに接続され，電子機器の付加的機能を遂行し，取り外し自在の第２のモジュールを支援する電子機器であって：上記電子機器の主機能を遂行する第１のモジュールを含み，上記第１のモジュールは，装着された第２のモジュールで発生するクロック信号に基づいて第２のモジュールが付加的機能を遂行できるように制御し，上記第２のモジュールは，クロック信号により他の第２のモジュールと区別されることを特徴とする，電子機器が提供される。
【００３１】
上記課題を解決するために，本発明の他の観点によれば，第１のモジュールに接続され，電子機器の付加的機能を遂行し，第２のモジュールを支援する電子機器の付加的機能を遂行する方法であって：電子機器の主機能を遂行するステップと；装着された第２のモジュールと装着された他の第２のモジュールとを区分するのに用いられる，上記装着された第２のモジュールで発生するクロック信号に基づいて，第２のモジュールが付加的機能を遂行できるように制御するステップと；を含むことを特徴とする，電子機器の付加的機能を遂行する方法が提供される。
【００３２】
上記課題を解決するために，本発明の他の観点によれば，第１のモジュールに接続され，電子機器の付加的機能を遂行し，第２のモジュールを支援する電子機器の付加的機能を遂行する方法であって：上記第１のモジュールに供給され，第２のモジュールと他の第２のモジュールとを区別するのに用いられ，電子機器への上記第２のモジュールの付加的機能を遂行するクロック信号を第２のモジュールで生成するステップを含むことを特徴とする，電子機器の付加的機能を遂行する方法が提供される。
【００３３】
電子機器に装着された第２のモジュールの内部の回路を電気的衝撃から保護するステップをさらに含むとしても良い。
【発明の効果】
【００３４】
以上説明したように本発明によれば，簡単な電気回路（信号の生成および保護を含む）を使ってオプションモジュールを形成することができ，低コスト化が図れる。また，アナログ信号と比較してオプションモジュールの種類を限りなく増やすことが可能であるという長所がある。さらに，様々なオプションモジュールを周波数毎に区分することが可能であり，オプションモジュールが主モジュール内で安定して動作し，オプションモジュールと主モジュールとの完全な互換性を実現することができる。
【発明を実施するための最良の形態】
【００３５】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００３６】
図３は，本実施形態によるクロック周波数を用いたオプションモジュールの内部構成図である。図３を参照すると，オプションモジュールの内部回路は，給電部３０と，クロック生成部１０と，回路保護部４０と，インターフェース部としてのインターフェースチップ２０とを含んで構成される。
【００３７】
上記給電部３０は，クロック生成部１０を含む回路全体への給電を行う。上記クロック生成部１０は，クリスタル１５の振動により所定の周波数を有するクロック信号を発生する。このとき，オプションモジュール５０の種類によっては，クリスタル１５で生成される周波数もそれぞれ異なる。
【００３８】
上記インターフェースチップ２０は，複数の入／出力ポートＰ１〜Ｐ５を有している。このインターフェースチップ２０は，給電部３０とクロック生成部１０および回路保護部４０をインターフェース（接続）し，給電部３０の電源電圧Ｖｃｃをクロック生成部１０および回路保護部４０に印加する。また，インターフェースチップ２０は，クロック生成部１０と回路保護部４０をインターフェース（中継）し，クロック生成部１０で生成された複数のクロック信号のうちの所定のクロック信号を，インターフェースチップ２０の第５番ポートＰ５を介して，回路保護部４０に出力する。
【００３９】
上記回路保護部４０は，バッファ４２とＲＣフィルタ４４を含んで構成される。かかるバッファ４２は，ユーザーが，電源をオンした状態のままでオプションモジュール５０を装着する場合に，クリスタル１５に直接サージ（ｓｕｒｇｅ）等の電気的衝撃が加わって回路内の各素子が損傷する，ということを防止する。ＲＣフィルタ４４は，クロック生成部１０からの所定の周波数を有するクロック信号を安定化する。
【００４０】
上記のような内部構成を有するオプションモジュール５０は，電子メールの送信機能をもつオプションモジュール，複数の電話番号やファックス番号が選択できる「ワンタッチダイヤルキー」の機能を果たすオプションモジュール，操作パネルの拡張機能をもつオプションモジュール等，様々に実現可能である。
【００４１】
このような本実施形態によるオプションモジュール５０は，ユーザーが容易に取り外しできる構造であり，一つ以上のコネクタを介して主モジュールに接続される。ここで，主モジュールとは，複写機，プリンタ，複合機，およびファクシミリ等であっても良い。
【００４２】
図４は，本実施形態による電子機器における操作パネルの構成図である。図４を参照すると，操作パネル１００は，オプションモジュール認識装置９０と，キー入力部６０，および表示部７０とを含んで構成される。上記表示部７０は，ＬＣＤまたはＬＥＤ等により形成されるとしても良い。
【００４３】
図５は，図４に示すオプションモジュール認識装置の内部構成を示す一実施形態である。
【００４４】
図４および図５を参照すると，オプションモジュール認識装置９０は，制御部７４と，記憶部７２と，オプションモジュール接続判断部７６と，インターフェース８２と，周波数算出部７８と，モード変更部８０とを含んで構成される。上記インターフェース８２は，コネクタからなるとしても良い。
【００４５】
ファックスのワンタッチキーや複写機の電子メールキーボードのように特定機能をもつオプションモジュール５０を，主モジュール（図示せず）内部の操作パネル１００に装着して使用したい場合，オプションモジュール接続判断部７６は，オプションモジュール５０がコネクタ８２を介して接続されたか否かを判断する。接続の有無は，オプションモジュール５０の内部で生成された所定の周波数を有するクロック信号を検知することにより認識する。
【００４６】
このとき，周波数算出部７８は，オプションモジュール５０の内部回路で生成された所定の周波数を有するクロック信号をカウントすることにより，オプションモジュール５０が生成するクロック信号の周波数を算出する。
【００４７】
上記オプションモジュール５０が生成する周波数は，入力されるクロック信号の第１の立ち上がりエッジと次の立ち上がりエッジとの間の時間をカウントしたり，クロック信号の第１の立ち上がりエッジと第１の立ち下がりエッジとの間の時間をカウントしたりすることで，算出される。周波数算出部７８は，ソフトウェアで実現されたタイマーであることしても良い。
【００４８】
上記記憶部７２には，複数の周波数毎にオプションモジュール５０の種類を区別できるようにするオプションモジュール認識データと，および，オプションモジュール５０と主モジュールとの相互互換性を提供する応用プログラムとが，利用が予想されるオプションモジュール５０毎に予め記憶されている。
【００４９】
上記制御部７４は，記憶部７２に予め記憶されたオプションモジュール認識データと，周波数算出部７８で算出されたクロック周波数とを比較し，さらにその比較結果を分析してオプションモジュール５０の種類を認識する。
【００５０】
また，モード変更部８０は，制御部７４で認識されたオプションモジュール５０が主モジュールと相互互換性をもって動作できるように，認識されたオプションモジュール５０に対応する応用プログラムを実行させ，かつ，主モジュールのモードをオプションモジュール５０に対応する所定のモードに変更する。
【００５１】
例えば，デジタル複写機に接続，装着された「ワンタッチキー」機能をもつオプションモジュール５０が５ＫＨｚのクロック周波数を生成した場合，オプションモジュール認識データには，クロック周波数５ＫＨｚを生成するオプションモジュール５０がワンタッチキー機能をもっているという情報が予めセットされており，主モジュールは，「ワンタッチキー」機能をもつオプションモジュール５０が接続されていることを認識する。
【００５２】
制御部７４で予め設定されたオプションモジュール認識データを用いて装着されたオプションモジュール５０の情報を把握すると，モード変更部８０は，当該オプションモジュール５０とデジタル複写機との互換性を提供する応用プログラムを実行させ，主モジュールのモードを上記オプションモジュール５０に対応するように変更する。
【００５３】
ここで，応用プログラムとは，「ワンタッチキー」機能をもつオプションモジュール５０がデジタル複写機内において互換性をもって動作できるように支援するソフトウェアをいう。
【００５４】
図６は，本実施形態による電子機器の主な構成部分であるオプションモジュール認識装置の動作を説明するためのフローチャートである。図６を参照すると，まず，クロック周波数を用いたオプションモジュールが主モジュールに接続されたか否かを判断する（Ｓ１１０）。オプションモジュールが主モジュールに接続されたと判断されると，オプションモジュールで生成するクロック信号の周波数を算出する（Ｓ１２０）。算出されたクロック周波数によって主モジュールのモードをオプションモジュールに対応するように変更する（Ｓ１３０）。
【００５５】
このような過程によりオプションモジュール認識装置は，オプションモジュールと主モジュールとの間に相互の互換性を提供できるようになる。
【００５６】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００５７】
なお，本明細書の電子機器の付加的機能を遂行する方法における各工程は，必ずしもフローチャートとして記載された順序に沿って時系列に処理する必要はなく，並列的あるいは個別に実行される処理（例えば，並列処理あるいはオブジェクトによる処理）も含むとしても良い。
【産業上の利用可能性】
【００５８】
本発明は，クロック周波数を用いたオプションモジュール，電子機器，および電子機器の付加的機能を遂行する方法に関し，特に複合機に接続または装着される各種のオプションを，複合機が認識し，複合機とオプションとの相互互換性を提供するオプションモジュール，電子機器，および電子機器の付加的機能を遂行する方法に利用可能である。
【図面の簡単な説明】
【００５９】
【図１】従来のデジタル複合機の機能ブロック図である。
【図２Ａ】従来のオプションモジュール認識方法を説明するための説明図である。
【図２Ｂ】従来のオプションモジュール認識方法を説明するための説明図である。
【図３】本実施形態によるクロック周波数を用いたオプションモジュールの内部回路図である。
【図４】本実施形態に係る電子機器における操作パネルの構成図である。
【図５】図４に示すオプションモジュール認識装置の内部構成を示す一実施形態である。
【図６】本実施形態に係る電子機器の主な構成部分であるオプションモジュール認識装置の動作を説明するためのフローチャートである。
【符号の説明】
【００６０】
１０  クロック生成部
１５  クリスタル
２０  インターフェースチップ
３０  給電部
４０  回路保護部
４２  バッファ
４４  ＲＣフィルタ
５０  オプションモジュール
６０  キー入力部
７０  表示部
７２  記憶部
７４  制御部
７６  オプションモジュール接続判断部
７８  周波数算出部
８０  モード変更部
８２  インターフェース
９０  オプションモジュール認識装置
１００  操作パネル
Ｒ１〜Ｒ５  抵抗
Ｐ１〜Ｐ５  入／出力ポート
Ｃ１〜Ｃ４  キャパシタ
【図１】
2005235189.tif 000003
【図２Ａ】
2005235189.tif 000004
【図２Ｂ】
2005235189.tif 000005
【図３】
2005235189.tif 000006
【図４】
2005235189.tif 000007
【図５】
2005235189.tif 000008
【図６】
2005235189.tif 000009